(57)【要約】【課題】設置コストの削減を図りつつ、不審者をより確実に撮影することができる建物の撮影システムを提供する。【解決手段】建物の玄関口１５には、玄関ドア１６が設けられている。玄関ドア１６には、ノブ２１が設けられ、屋内側のノブ２１ａには、人が接触したことを検知するノブ接触センサ２２が設けられている。玄関ホール１１には、監視カメラ２３が設置されており、玄関口１５を通じて建物内から退出しようとしている人を正面から撮影することができる。コントローラは、ノブ接触センサ２２からの検知信号に基づいて監視カメラ２３に撮影信号を出力する。これにより、建物内に侵入した不審者が玄関口１５を通じて退出しようとするところを狙って撮影することができるため、不審者をより確実に撮影することができる。また、監視カメラ２３を多数設置することなく侵入者を撮影できるため、設置コストの削減を図ることもできる。【選択図】図１
2010246056.tif 000002
【特許請求の範囲】
【請求項１】
建物の出入口を通じて建物内から人が退出しようとしていることを検知する退出検知手段と、
屋内に設けられ、前記出入口を通じて退出しようとしている人を撮影する撮影手段と、
前記退出検知手段により人が退出しようとしていることが検知された場合に、前記撮影手段による撮影を実施する制御手段と、
を備えることを特徴とする建物の撮影システム。
【請求項２】
前記出入口を開閉する出入口扉には、屋内側に取っ手が設けられ、
前記退出検知手段は、前記取っ手に人が接触したことを検知する接触検知手段であることを特徴とする請求項１に記載の建物の撮影システム。
【請求項３】
前記退出検知手段は、前記出入口を開閉する出入口扉が屋内側から解錠操作されたことを検知する解錠検知手段であることを特徴とする請求項１に記載の建物の撮影システム。
【請求項４】
ユーザにより携帯される携帯機の識別情報を取得し、当該取得した識別情報があらかじめ登録されている識別情報と一致するか否かの認証を行う認証手段を備え、
前記制御手段は、前記認証手段により識別情報の認証がなされた場合には、前記退出検知手段の検知結果にかかわらず、前記撮影手段による撮影を実施しないことを特徴とする請求項１乃至３のいずれか一項に記載の建物の撮影システム。
【請求項５】
前記携帯機がユーザにより携帯されているか否かを判定する携帯判定手段を備え、
前記制御手段は、前記携帯判定手段により前記携帯機がユーザにより携帯されていないと判定された場合には、前記認証手段による認証が行われた場合でも、前記撮影手段による撮影を実施することを特徴とする請求項４に記載の建物の撮影システム。
【請求項６】
建物の屋内外を連通する複数の開口部のうち、前記出入口以外の開口部を通じて建物内へ侵入する者を検知する侵入者検知手段を備え、
前記制御手段は、前記侵入者検知手段により侵入者が検知されたことを条件として、前記撮影手段による撮影を実施することを特徴とする請求項１乃至５のいずれか一項に記載の建物の撮影システム。
【請求項７】
居住者が在宅しているか否かを判定する在宅判定手段を備え、
前記制御手段は、前記在宅判定手段により居住者が不在であると判定されたことを条件として、前記撮影手段による撮影を実施することを特徴とする請求項１乃至６のいずれか一項に記載の建物の撮影システム。
【請求項８】
前記撮影手段により撮影した画像を記憶する記憶手段と、
前記撮影手段により撮影した画像に基づいて、当該撮影された者が予め登録されたユーザであるか否かを判定するユーザ判定手段と、
を備え、
前記ユーザ判定手段により登録ユーザであると判定された場合には、当該撮影した画像を前記記憶手段に記憶しないことを特徴とする請求項１乃至７のいずれか一項に記載の建物の撮影システム。
【発明の詳細な説明】
【技術分野】
【０００１】
本発明は、建物の撮影システムに関する。
【背景技術】
【０００２】
住宅等の建物では、防犯性を考慮して屋外に防犯カメラが設置されている場合がある（例えば特許文献１）。防犯カメラが設置されている建物では、通常建物の周辺に人が存在することを検知する人検知センサが設けられ、その人検知センサによる人の検知に基づいて、防犯カメラによる撮影を実施することとしている。これにより、建物の周辺に不審者が現れた場合には自動で撮影が行われ、その撮影された不審者の画像をもって犯人逮捕の手がかりとしていた。
【先行技術文献】
【特許文献】
【０００３】
【特許文献１】特開２００５−９４６４２号公報
【発明の概要】
【発明が解決しようとする課題】
【０００４】
ところで、不審者による建物内への侵入は、玄関ドアが不正開錠（例えばピッキング）されることで玄関口から行われたり、窓が破壊されることで窓開口から行われたりする。つまり、不審者の建物内への侵入経路は様々である。そのため、建物周辺に存在する不審者を屋外の防犯カメラにより確実に撮影しようとすると、少なくとも建物内への侵入口となりうる各開口部周辺に防犯カメラを設置する必要がある。しかしながら、この場合防犯カメラの設置台数が多くなり、その結果設置コストの大幅な増大を招くことが考えられる。また、防犯カメラを屋外に設置する場合には、雨や風等の影響を考慮して防犯カメラを防水構造等の耐環境構造とする必要があり、その点を鑑みても設置コストが嵩むことが想定される。
【０００５】
一方、防犯カメラを各開口部周辺に設置したとしても、撮影時の天候等の影響により不審者を的確に撮影することができない場合がありうる。例えば撮影時に大雨が降っていたり、あるいは西日が射していたりする場合等には、そのような不都合が生じることが想定される。また、不審者によっては防犯カメラのレンズを布等で覆い防犯カメラによる撮影を妨げることが考えられる。その場合、不審者を撮影することは不可能となる。
【０００６】
本発明は、上記事情に鑑みてなされたものであり、設置コストの削減を図りつつ、不審者をより確実に撮影することができる建物の撮影システムを提供することを主たる目的とするものである。
【課題を解決するための手段】
【０００７】
上記課題を解決すべく、第１の発明の建物の撮影システムは、建物の出入口を通じて建物内から人が退出しようとしていることを検知する退出検知手段と、屋内に設けられ、前記出入口を通じて退出しようとしている人を撮影する撮影手段と、前記退出検知手段により人が退出しようとしていることが検知された場合に、前記撮影手段による撮影を実施する制御手段と、を備えることを特徴とする。
【０００８】
上述したように、不審者が建物内に侵入する場合には、人の出入りが可能な出入口（玄関口等）を通じて侵入する他、出入口のドアが施錠されている場合には窓開口を通じて侵入することが考えられる。一方、一旦建物内に侵入した不審者が建物内から退出する際には、屋内側からドアを解錠操作することができるため、あえて窓開口より退出することなく、出入口を通じて退出することが想定される。そこで本発明では、その点に着目し、出入口を通じて退出しようとする人が退出検知手段により検知された場合に、屋内側に設けられた撮影手段により撮影が実施されることとしている。これにより、建物内に侵入した不審者が出入口を通じて退出しようとするところを狙って撮影できるため、不審者をより確実に撮影することができる。また、撮影手段を多数設置することなく侵入者を撮影することができるため、設置コストの削減を図ることもできる。よって、設置コストの削減を図りつつ、不審者をより確実に撮影することができる。
【０００９】
また、撮影手段を屋内設置とすることで、天候等の影響を比較的受けることなく不審者を撮影することができるため、その点からも不審者をより確実に撮影することが期待できる。さらには、屋外設置の場合とは異なり撮影手段を耐環境構造とする必要がないため、その点からも設置コストの低減を図ることができる。
【００１０】
第２の発明の建物の撮影システムは、第１の発明において、前記出入口を開閉する出入口扉には、屋内側に取っ手が設けられ、前記退出検知手段は、前記取っ手に人が接触したことを検知する接触検知手段であることを特徴とする。
【００１１】
人が出入口を通じて建物内から退出する際には、出入口扉を開いて退出する。そして、この場合、出入口扉の屋内側に設けられた取っ手を持って出入口扉を開くのが通常である。そこで本発明では、その点に着目し、人が取っ手に接触したことを接触検知手段により検知したことをもって、人が出入口を通じて建物内から退出しようとしていることを検知することとしている。これにより、人が出入口を通じて退出しようとしていることを具体的に検知することができる。
【００１２】
また、取っ手が回動式のものである場合には、人が出入口を通じて建物内から退出する際に、取っ手を開方向に回動させて出入口扉を開くのが通常である。そこで、その点に着目し、取っ手を開方向に回動させたことを検知する回動検知手段を設け、その回動検知手段を退出検知手段とするのも一策である。これによっても、人が出入口を通じて退出しようとしていることを具体的に検知することができる。
【００１３】
第３の発明の建物の撮影システムは、第１の発明において、前記退出検知手段は、前記出入口を開閉する出入口扉が屋内側から解錠操作されたことを検知する解錠検知手段であることを特徴とする。
【００１４】
人が出入口を通じて建物内から退出する際には、屋内側から出入口扉を解錠してから出入口扉を開き退出する。そこで本発明では、その点に着目し、出入口扉が解錠操作されたことが解錠検知手段により検知されたことをもって、人が出入口を通じて建物内から退出しようとしていることを検知することとしている。これにより、人が出入口を通じて退出しようとしていることを具体的に検知することができる。
【００１５】
第４の発明の建物の撮影システムは、第１乃至第３のいずれかの発明において、ユーザにより携帯される携帯機の識別情報を取得し、当該取得した識別情報があらかじめ登録されている識別情報と一致するか否かの認証を行う認証手段を備え、前記制御手段は、前記認証手段により識別情報の認証がなされた場合には、前記退出検知手段の検知結果にかかわらず、前記撮影手段による撮影を実施しないことを特徴とする。
【００１６】
本発明によれば、ユーザにより携帯される携帯機より取得した識別情報に基づいて、識別情報の認証が行われた場合には、退出検知手段による検知結果にかかわらず、撮影手段による撮影が実施されない。つまり、出入口を通じて屋外に退出しようとしている人が携帯機を所持するユーザ（例えば居住者等）である場合には、撮影手段による撮影が実施されない。そのため、意図しない無駄な撮影を極力回避することができる。
【００１７】
第５の発明の建物の撮影システムは、第４の発明において、前記携帯機がユーザにより携帯されているか否かを判定する携帯判定手段を備え、前記制御手段は、前記携帯判定手段により前記携帯機がユーザにより携帯されていないと判定された場合には、前記認証手段による認証が行われた場合でも、前記撮影手段による撮影を実施することを特徴とする。
【００１８】
本発明によれば、携帯判定手段により携帯機がユーザにより携帯されていないと判定された場合には、携帯機からの識別情報の認証にかかわらず、撮影手段による撮影が実施される。これにより、ユーザが不携帯の携帯機、例えば建物内に放置等された携帯機からの識別情報に基づき認証がなされることで、建物内から退出しようとする不審者に対し撮影が実施されないという不都合な事態を回避できる。
【００１９】
第６の発明の建物の撮影システムは、第１乃至第５のいずれかの発明において、建物の屋内外を連通する複数の開口部のうち、前記出入口以外の開口部を通じて建物内へ侵入する者を検知する侵入者検知手段を備え、前記制御手段は、前記侵入者検知手段により侵入者が検知されたことを条件として、前記撮影手段による撮影を実施することを特徴とする。
【００２０】
本発明によれば、建物における複数の開口部のうち、出入口以外の開口部を通じて建物内へ侵入した者が侵入者検知手段により検知された場合に限って、撮影手段による撮影が実施される。ここで、「出入口」とは、玄関口や勝手口等、人の出入りが可能な開口部を意味し、「出入口以外の開口部」とは窓開口等、通常人が出入りしない開口部を意味する。つまり、本発明では、通常人が出入りしない開口部を通じて建物内に侵入した者を不審者とみなし、かかる不審者が検知されたことを条件として撮影を実施することとしている。したがって、不審者が検知されない限りは撮影が実施されないため、居住者等のユーザが出入口より退出する度に意図しない無駄な撮影が行われるのを回避することができる。
【００２１】
第７の発明の建物の撮影システムは、第１乃至第６のいずれかの発明において、居住者が在宅しているか否かを判定する在宅判定手段を備え、前記制御手段は、前記在宅判定手段により居住者が不在であると判定されたことを条件として、前記撮影手段による撮影を実施することを特徴とする。
【００２２】
本発明によれば、在宅判定手段により居住者が不在であると判定された場合に限って、撮影手段による撮影が実施される。つまり、建物内が留守状態である場合に限り撮影が実施されるため、建物内の居住者が出入口を通じて屋外に退出する場合に撮影が実施されるのを回避することができる。これにより、意図しない無駄な撮影を減らすことができる。
【００２３】
第８の発明の建物の撮影システムは、第１乃至第７のいずれかの発明において、前記撮影手段により撮影した画像を記憶する記憶手段と、前記撮影手段により撮影した画像に基づいて、当該撮影された者が予め登録されたユーザであるか否かを判定するユーザ判定手段と、を備え、前記ユーザ判定手段により登録ユーザであると判定された場合には、当該撮影した画像を前記記憶手段に記憶しないことを特徴とする。
【００２４】
本発明によれば、撮影手段により撮影された者が登録ユーザであると判定された場合には、撮影した画像が記憶手段に記憶されない。したがって、ユーザが出入口を通じて建物内から退出する度に撮影手段により撮影が実施されるとしても、それらの撮影画像が記憶手段に蓄積されるのを防止することができる。
【図面の簡単な説明】
【００２５】
【図１】玄関周辺を示す平面図。
【図２】撮影システムを示す全体構成図。
【図３】コントローラの制御処理を示すフローチャート。
【発明を実施するための形態】
【００２６】
以下に、本発明を具体化した一実施の形態について図面を参照しつつ説明する。なお、図１は玄関周辺を示す平面図である。
【００２７】
図１に示すように、建物１０は、屋内スペースとして玄関ホール１１と、玄関ホール１１に隣接して設けられる廊下１２及び居室１３とを備えている。建物１０には、玄関ホール１１と屋外とを連通する玄関口１５が設けられ、この玄関口１５を通じて建物１０への出入りが可能となっている。玄関口１５には、玄関ドア１６が設けられている。玄関ドア１６は、例えば回動式のドアであり、この玄関ドア１６が回動されることにより玄関口１５が開閉される。玄関ドア１６には、施解錠装置１７が設けられている。施解錠装置１７は、錠前を電気的に施解錠することにより玄関ドア１６の施錠及び解錠（ロック及びアンロック）を行う装置である。施解錠装置１７は、居住者により携帯される電子キー１８から送信される識別情報としてのＩＤコード信号に基づいて、施解錠処理を実行する。
【００２８】
玄関ドア１６には、屋内側及び屋外側にそれぞれノブ２１が設けられている。屋内側のノブ２１ａには、接触検知手段としてのノブ接触センサ２２が設けられている。ノブ接触センサ２２は、屋内側ノブ２１ａに人が接触したことを検知するセンサであり、周知のタッチセンサ等により構成されている。ノブ接触センサ２２は、例えば屋内側ノブ２１ａに内蔵されている。
【００２９】
玄関ホール１１には、通信部２５が設けられている。通信部２５は、例えば玄関ホール１１の天井等に設けられている。通信部２５は、居住者が所持する電子キー１８との間で無線通信を行うものである。通信部２５は、その通信エリアが少なくとも玄関ホール１１を含んで設定されており、そのエリア内において電子キー１８と通信可能とされている。したがって、電子キー１８を所持したユーザが玄関口１５を通じて建物１０内から退出する場合には、玄関ホール１１において電子キー１８と通信部２５との間で通信が行われるようになっている。
【００３０】
玄関ホール１１には、撮影手段としての監視カメラ２３が設置されている。監視カメラ２３は、デジタルカメラにより構成されており、玄関ホール１１において玄関ドア１６脇の内壁等に設置されている。本実施形態では、この監視カメラ２３により玄関ホール１１にて玄関口１５の方を向いている人、例えば玄関口１５を通じて建物１０内から退出しようとしている人を正面から撮影することが可能となっている。より具体的には、監視カメラ２３は、玄関口１５を通じて退出しようとしている人の少なくとも顔を撮影することが可能となっている。
【００３１】
建物１０には、本撮影システムを管理するための屋内装置３０が設けられている。屋内装置３０は、例えば居室１３における玄関ホール１１との仕切壁に設置されている。以下、この屋内装置３０の構成を中心として本撮影システムの電気的構成について図２に基づいて説明する。なお、図２は撮影システムを示す全体構成図である。
【００３２】
図２に示すように、屋内装置３０は、制御手段としてのコントローラ３１と、液晶ディスプレイ等からなる表示部３２と、居住者により操作される操作部３３とを備えており、コントローラ３１に対して表示部３２及び操作部３３が接続されている。
【００３３】
コントローラ３１は、本撮影システムにおいて監視カメラ２３の撮影制御を行うものであり、ＣＰＵ等を有する周知のマイクロコンピュータを備えて構成されている。コントローラ３１は、識別情報としてのＩＤコード情報を記憶するＩＤコード記憶部３６を有している。
【００３４】
コントローラ３１の入力側には、ノブ接触センサ２２が接続されている。人が玄関ドア１６の屋内側ノブ２１ａを握る等して屋内側ノブ２１ａに触れた場合には、ノブ接触センサ２２から検知信号がコントローラ３１に入力される。
【００３５】
コントローラ３１には、監視カメラ２３が接続されている。コントローラ３１は、ノブ接触センサ２２からの検知信号に基づいて監視カメラ２３に撮影信号を出力する。これにより、監視カメラ２３により撮影が実行される。そして、監視カメラ２３により撮影が実行されると、監視カメラ２３から撮影画像がデジタル画像情報として逐次コントローラ３１に入力される。
【００３６】
コントローラ３１は、記憶手段としての画像記憶部３７を有している。画像記憶部３７は、監視カメラ２３により撮影された画像を記憶するものである。画像記憶部３７は、例えば不揮発性メモリにより構成されており、数千枚の画像を記憶することが可能となっている。監視カメラ２３から画像情報がコントローラ３１に入力されると、コントローラ３１はその都度画像情報を画像記憶部３７に記憶する。また、画像記憶部３７は、監視カメラ２３からの都度の画像情報を撮影日時と対応付けて記憶するようになっている。これにより、画像記憶部３７に記憶された各画像がそれぞれいつ撮影されたものであるのかを把握することができる。なお、画像記憶部３７に記憶される画像は所定枚数分（例えば千枚）のみであり、所定枚数を超えて記憶する場合には最も撮影日時の古い画像が上書きされ消去される。
【００３７】
画像記憶部３７に記憶された各画像は、ユーザによる操作部３３に対する操作に基づいて表示部３２に表示される。これにより、居住者は、監視カメラ２３により撮影された各画像を確認することができる。なお、操作部３３には、各種操作ボタンが設けられ、例えば画像記憶部３７から不要な画像を削除するための削除ボタンや、画像記憶部３７に記憶されている各画像を順次表示部３２に表示させるための送りボタン及び戻しボタン等が設けられている。また、本実施形態では、画像記憶部３７を構成する不揮発性メモリが屋内装置３０から取り外し可能とされており、その取り外したメモリを外部機器に接続させることができるようになっている。そのため、例えば、居室１３以外の部屋に設けられたテレビ等に撮影画像を表示させて画像確認することもできる。
【００３８】
コントローラ３１には、通信部２５が接続されている。コントローラ３１は、ノブ接触センサ２２から検知信号が入力されると、通信部２５を介して通信エリアにリクエスト信号を送信する。ここで、電子キー１８を所持したユーザが通信エリアにいる場合には、電子キー１８によりリクエスト信号が受信され、電子キー１８がリクエスト信号の応答としてＩＤコード信号を送信する。そして、通信部２５がそのＩＤコード信号を受信すると、ＩＤコード信号が通信部２５からコントローラ３１に入力される。
【００３９】
コントローラ３１のＩＤコード記憶部３６には、識別情報としてのＩＤコード情報があらかじめ記憶されている。ＩＤコード記憶部３６に記憶されているＩＤコードは、電子キー１８に記憶されているＩＤコードに対応したものである。コントローラ３１は、電子キー１８からＩＤコード信号が入力されると、ＩＤコードの認証を実施する。具体的には、コントローラ３１は、入力されたＩＤコード信号がＩＤコード記憶部３６に記憶されているＩＤコードと一致しているか否かを判定する。
【００４０】
次に、コントローラ３１によって実行される撮影制御処理について図３に示すフローチャートに基づいて説明する。なお、本処理は所定の周期で繰り返し実行される。
【００４１】
まずステップＳ１１において、ノブ接触センサ２２からの検知信号に基づいて、人が玄関ドア１６の屋内側ノブ２１ａに触れたか否かを判定する。つまり、ここでは人が玄関口１５を通じて屋内から退出しようとしているか否かを判定する。人が屋内側ノブ２１ａに触れていない場合には、本処理を終了する。一方、人が屋内側ノブ２１ａに触れていない場合には、ステップＳ１２に進む。
【００４２】
ステップＳ１２では、通信部２５よりリクエスト信号を所定の通信エリアに送信する。
【００４３】
続くステップＳ１３では、リクエスト信号の応答として電子キー１８から送信されるＩＤコード信号を通信部２５を介して受信したか否かを判定する。電子キー１８からＩＤコード信号を受信していない場合には、ステップＳ１５に進み、ＩＤコード信号を受信している場合には、ステップＳ１４に進む。
【００４４】
ステップＳ１４では、電子キー１８から受信したＩＤコード信号がＩＤコード記憶部３６にあらかじめ記憶されているＩＤコードと一致しているか否かを判定する。電子キー１８からのＩＤコード信号がＩＤコード記憶部３６に記憶されているＩＤコードと一致している場合には、本処理を終了する。つまり、この場合玄関口１５を通じて退出しようとしている人がユーザであると判断することができるため、監視カメラ２３による撮影を実行しないまま本処理を終了する。一方、電子キー１８からのＩＤコード信号がＩＤコード記憶部３６のＩＤコードと一致していない場合には、ステップＳ１５に進む。
【００４５】
ステップＳ１５では、監視カメラ２３に撮影信号を出力する。これにより、監視カメラ２３により撮影が実行され、玄関口１５を通じて屋内から退出しようとしている人を撮影することができる。
【００４６】
ステップＳ１６では、ステップＳ１５において撮影された画像を監視カメラ２３から取り込む。
【００４７】
ステップＳ１７では、画像記憶部３７に空き容量があるか否かを判定する。具体的には、一枚分（一撮影分）の画像を記憶することができる空き容量があるか否かを判定する。画像記憶部３７に空き容量がある場合には、ステップＳ１９に進む。画像記憶部３７に空き容量がない場合には、ステップＳ１８に進み、画像記憶部３７に記憶されている各画像のうちで最も撮影日時の古い画像を削除する。これにより、画像記憶部３７に新たな画像を記憶することが可能となる。
【００４８】
ステップＳ１９では、ステップＳ１６において取り込んだ画像情報を画像記憶部３７に記憶する。その後、本処理を終了する。
【００４９】
以上、詳述した本実施形態の構成によれば、以下の優れた効果が得られる。
【００５０】
玄関ドア１６の屋内側ノブ２１ａに人が接触したことがノブ接触センサ２２により検知された場合に、玄関ホール１１に設置された監視カメラ２３により撮影が実施されるようにした。つまり、人が玄関ホール１１から玄関口１５を通じて退出しようとしていることが検知された場合に、監視カメラ２３により撮影が実施されることとした。これにより、建物１０内に侵入した不審者が玄関口１５を通じて退出しようとするところを狙い撮影することができるため、不審者をより確実に撮影することができる。また、監視カメラ２３を多数設置することなく侵入者を撮影することができるため、設置コストの削減を図ることもできる。よって、設置コストの削減を図りつつ、不審者をより確実に撮影することができる。
【００５１】
また、監視カメラ２３を屋内設置とすることで、天候等の影響を比較的受けることなく不審者を撮影することができるため、その点からも不審者をより確実に撮影することが期待できる。さらには、屋外設置の場合とは異なり監視カメラ２３を耐環境構造とする必要がないため、その点からも設置コストの低減を図ることができる。
【００５２】
玄関ドア１６の屋内側ノブ２１ａに人が接触したことを検知するノブ接触センサ２２を設け、このノブ接触センサ２２の検知結果に基づいて監視カメラ２３による撮影を実施するようにした。これにより、人が玄関口１５を通じて建物１０内から退出しようとしていることを具体的に検知することができる。
【００５３】
電子キー１８からのＩＤコード信号に基づいてＩＤコードの認証が行われた場合には、ノブ接触センサ２２による検知結果にかかわらず、監視カメラ２３による撮影が実施されないようにした。これにより、玄関口１５を通じて建物１０内から退出しようとしている人が電子キー１８を携帯するユーザである場合には、監視カメラ２３による撮影が実施されないため、意図しない無駄な撮影を極力回避することができる。
【００５４】
本発明は上記実施形態に限らず、例えば次のように実施されてもよい。
【００５５】
（１）上記実施形態では、ノブ接触センサ２２からの検知信号に基づいて、人が玄関口１５を通じて屋内から退出しようとしていることを検知する構成としたが、これを以下のように変更してもよい。例えば、屋内側ノブ２１ａを開方向に回したことを検知する回動検知センサを設け、そのセンサからの検知信号に基づいて人が退出しようとしていることを検知してもよい。また、玄関ドア１６の施解錠装置１７が玄関ホール１１側から解錠操作されたことを検知する解錠検知センサを玄関ドア１６に設け、そのセンサからの検知信号に基づいて人が退出しようとしていることを検知してもよい。これらによっても、人が玄関口１５を通じて建物１０内から退出しようとしていることを具体的に検知することができる。
【００５６】
（２）一般に建物１０には、屋内外を連通する複数の開口部が設けられている。開口部として、玄関口１５等人の出入りが可能な開口部が設けられている他、窓開口等通常人の出入りが行われない開口部が設けられている。そこで、例えば建物１０において窓開口の周辺に、当該窓開口を通じて建物１０内に侵入する者を検知する侵入検知センサを設け、同センサにより侵入者が検知されたことを条件として監視カメラ２３による撮影を実施するようにしてもよい。ここで、侵入検知センサは、例えば人を検知する人感センサからなる。これにより、侵入者が検知されない限りは監視カメラ２３による撮影が実施されないため、居住者等のユーザが玄関口１５より退出する度に意図しない撮影が行われるのを回避することができる。
【００５７】
（３）建物１０に、居住者が在宅しているか否かを判定する在宅判定手段を設け、この在宅判定手段により居住者が不在であると判定されたことを条件として、監視カメラ２３による撮影が実施されるようにしてもよい。ここで、在宅判定手段としては、例えば、電子キー１８から送信されるＩＤコード信号を受信する受信部を建物１０内に設け、その受信部を通じて受信したＩＤコードに基づいて居住者が在宅しているか否かを判定することが考えられる。この場合、建物１０内が留守状態であるときに限り監視カメラ２３により撮影が実施されるため、建物１０内の居住者が玄関口１５を通じて屋外に退出する際に撮影が実施されるのを回避することができる。これにより、意図しない無駄な撮影を減らすことができる。また、建物１０に来客者等が訪れている場合には、その来客者等が玄関口１５を通じて建物１０内から退出する際に撮影が実施されるのを回避することもできる。
【００５８】
（４）上記実施形態では、監視カメラ２３により撮影された画像を都度、画像記憶部３７に記憶するようにしたが、これを変更してもよい。例えば、監視カメラ２３により撮影された画像に基づいて、撮影された者が予め登録されたユーザであるか否かを判定するユーザ判定部をコントローラ３１に設け、そのユーザ判定部により登録ユーザであると判定された場合には、その画像を画像記憶部３７に記憶しないようにしてもよい。そうすれば、ユーザが玄関口１５を通じて建物１０内から退出する度に監視カメラ２３により撮影が実施されるとしても、それらのユーザ画像が画像記憶部３７に蓄積されるのを防止することができる。
【００５９】
（５）また、画像記憶部３７に記憶された画像に基づいて、各画像の人物を識別する識別手段と、その識別手段による識別結果に基づいて画像記憶部３７に記憶された各画像に同一人の画像が含まれているか否かを判定する画像判定手段とを備え、画像判定手段により同一人の画像が含まれていると判定された場合には、それら同一人の画像を画像記憶部３７から削除するようにしてもよい。通常、居住者等のユーザは何度も建物１０内に出入りするものであるが、不審者が同じ建物１０への侵入を繰り返すことは到底考えにくい。そのため、同一人の画像が画像記憶部３７に記憶されている場合には、それらの画像をユーザの画像とみなすのが適切である。つまり、本構成によれば、画像記憶部３７に記憶されたユーザの画像を削除することで、画像記憶部３７への不要な画像の蓄積を抑制することができる。
【００６０】
（６）上記実施形態では、監視カメラ２３を玄関ホール１１に設置することで玄関口１５を通じて屋内から退出しようとする人を撮影する構成としたが、これを変更して勝手口等その他の出入口に監視カメラ２３を設置し、その出入口から退出しようとする人を撮影するようにしてもよい。また、建物１０に出入口が複数設けられている場合には、これら各出入口にそれぞれ監視カメラ２３を設置するようにしてもよい。但し、設置コストの削減を図るためには、監視カメラ２３の設置台数はより少ないのが望ましい。
【００６１】
（７）上記実施形態では、電子キー１８から送信されたＩＤコード信号がＩＤコード記憶部３６に記憶されているＩＤコードと一致しているか否かの認証を行い、認証がなされた場合には監視カメラ２３による撮影を実施しないようにしたが、これを次のように変更してもよい。
【００６２】
電子キー１８が、ユーザにより携帯されているか否かを判定する携帯判定手段を設け、同判定手段により電子キー１８が不携帯であると判定された場合には、電子キー１８からのＩＤコードの認証結果にかかわらず、監視カメラ２３による撮影が実施されるようにしてもよい。これにより、ユーザが不携帯の電子キー１８、例えば建物１０内に放置等されている電子キー１８からのＩＤコード信号に基づき認証がなされることで、建物１０内から退出しようとする不審者に対し撮影が実施されないという不都合な事態を回避することができる。
【００６３】
なおここで、携帯判定手段としては、例えば電子キー１８が振動していることを検知する振動センサを当該電子キー１８に設け、この振動センサの検知結果に基づいて電子キー１８がユーザとともに移動していることを、つまりは電子キー１８がユーザにより携帯されていることを判定することが考えられる。
【符号の説明】
【００６４】
１０…建物、１５…出入口としての玄関口、１６…出入口扉としての玄関ドア、２１…取っ手としてのノブ、２２…退出検知手段としてのノブ接触センサ、２３…撮影手段としての監視カメラ、２５…携帯機としての電子キー、３０…屋内装置、３１…制御手段としてのコントローラ、３７…記憶手段としての画像記憶部。
【図１】
2010246056.tif 000003
【図２】
2010246056.tif 000004
【図３】
2010246056.tif 000005